(57)【要約】【課題】  複数の被管理物品の移動が頻繁に生じる環境においても、確実に全ての被管理物品の管理を行うことができる物品管理システムを提供する。【解決手段】  物品管理システムは、所定の陳列ケース１１に陳列されている複数の宝飾品のそれぞれに個別に付属したトランスポンダとしての複数のＲＦＩＤタグと、平板状の平面アンテナとして構成され且つ陳列ケース１１に配設されており複数のＲＦＩＤタグとの間で通信を行うＲＦＩＤリーダ１２と、このＲＦＩＤリーダ１２と通信可能なデータ収集装置１３とを備える。ＲＦＩＤリーダ１２は、複数のＲＦＩＤタグに記憶されているデータを所定時間間隔で一括して読み出してデータ収集装置１３に対して送信し、データ収集装置１３は、ＲＦＩＤリーダ１２から所定時間間隔で受信したデータをその受信時刻毎に記録してログファイルを生成し、生成したデータファイルを出力する。【選択図】  図１
2009175894.tif 000002
【特許請求の範囲】
【請求項１】
被管理物品を管理する物品管理システムであって、
複数の被管理物品を収納して陳列する陳列部材と、
上記陳列部材に陳列されている複数の上記被管理物品のそれぞれに個別に付属し、各種データを読み出し及び／又は書き込み可能に記憶するとともに通信機能を有するトランスポンダとしての複数のＲＦＩＤタグと、
所定の大きさからなる平板状の平面アンテナとして構成され且つ上記陳列部材に配設されており、複数の上記被管理物品に個別に付属している複数の上記ＲＦＩＤタグとの間で通信を行うＲＦＩＤリーダと、
上記ＲＦＩＤリーダと通信可能なデータ収集装置とを備え、
上記ＲＦＩＤタグには、少なくとも当該ＲＦＩＤタグに固有に割り当てられた識別データを含むデータが記憶されており、
上記ＲＦＩＤリーダは、複数の上記ＲＦＩＤタグに記憶されているデータを、所定時間間隔で一括して読み出し、読み出したデータを上記データ収集装置に対して送信する送信手段を有し、
上記データ収集装置は、
上記ＲＦＩＤリーダから上記所定時間間隔で受信したデータをその受信時刻毎に記録し、ログファイルを生成するデータ記録手段と、
上記データ記録手段によって生成したデータファイルを出力する出力手段とを有すること
を特徴とする物品管理システム。
【請求項２】
上記データ記録手段は、
上記ＲＦＩＤリーダによって読み出した時刻において上記陳列部材に陳列されている全ての上記被管理物品に対応する全ての上記ＲＦＩＤタグに関するデータを並べたログファイルを生成する第１のデータ記録手段と、
上記陳列部材に陳列されているべき被管理物品が存在しない場合に、その被管理物品に対応するＲＦＩＤタグに関するデータをその受信時刻毎に時系列に記録したログファイルを生成する第２のデータ記録手段とを有すること
を特徴とする請求項１記載の物品管理システム。
【請求項３】
上記第１のデータ記録手段は、前時刻において受信したデータを次時刻において受信したデータによって上書きすること
を特徴とする請求項２記載の物品管理システム。
【請求項４】
上記データ記録手段は、汎用フォーマットでデータを記録したファイルを生成すること
を特徴とする請求項１乃至請求項３のうちいずれか１項記載の物品管理システム。
【請求項５】
上記出力手段は、上記データ記録手段によって生成したデータファイルを外部装置に対して送信すること
を特徴とする請求項１記載の物品管理システム。
【請求項６】
上記ＲＦＩＤタグは、少なくとも商品の販売価格を表示する値札を収納する値札収納ケースに当該値札とともに収納されていること
を特徴とする請求項１乃至請求項５のうちいずれか１項記載の物品管理システム。
【発明の詳細な説明】
【技術分野】
【０００１】
本発明は、被管理物品を管理する物品管理システムに関し、特に、いわゆるＲＦＩＤ（Radio Frequency Identification）システムにて用いられるトランスポンダとしてのタグを利用した物品管理システムに関する。
【背景技術】
【０００２】
従来から、いわゆるＲＦＩＤ（Radio Frequency IDentification）と称される個体管理を行うシステムが各種業界で注目されている。このＲＦＩＤシステムは、各種データを読み出し及び／又は書き込み可能に記憶するとともに通信機能を有する小型の非接触型集積回路（Integrated Circuit；以下、ＩＣという。）デバイス（トランスポンダ）と所定のリーダ／ライタとの間で無線通信を行うことにより、トランスポンダに対して非接触でデータの読み出し及び／又は書き込みを行う技術である。このＲＦＩＤシステムは、例えば、トランスポンダを商品にタグとして取り付けることによって生産・物流管理を行う用途をはじめとし、交通機関の料金徴収や身分証明書、さらには電子マネーといった様々な用途への適用が期待されているものである。
【０００３】
ところで、このようなＲＦＩＤを利用したシステムとして、在庫管理や販売管理を行うものが提案されている。特に、複数の物品を管理するために、ある程度の広さの範囲に位置するタグを一括して読み取るシステムが提案されている（例えば、特許文献１等参照。）
【０００４】
具体的には、この特許文献１には、収容棚に複数保管される被管理物品の管理情報を一括して読み取り又は書き込み可能なリーダライタアレイが開示されている。特に、このリーダライタアレイは、各被管理物品に搭載されるＲＦＩＤタグに記憶される管理情報を非接触で読み取り又は書き込む複数のリーダライタと、これら複数のリーダライタが配設されて収容棚から独立して構成される支持部材とを備えている。そして、このリーダライタアレイにおいて、各リーダライタは、収容棚の少なくとも１段の棚段に並べて保管された複数の被管理物品の位置に対応するように支持部材に配設されている。これにより、このリーダライタアレイにおいては、収容棚に複数保管される被管理物品の管理情報について、所定単位で一括して読み取り又は書き込むことができ、汎用性を備えるとともに、作業性を向上させることができるとしている。
【０００５】
【特許文献１】特開２００７−３５２０２号公報
【発明の開示】
【発明が解決しようとする課題】
【０００６】
ところで、上述した特許文献１に記載された技術においては、収容棚の少なくとも１段の棚段に並べて保管された複数の被管理物品の位置に対応するように複数のリーダライタが配設されているため、例えば指輪やネックレスといった宝飾品を店頭にて陳列するための陳列ケース等にはそのまま適用することができないという問題があった。また、かかる宝飾品の販売環境は、顧客の要望に応じて被管理物品としての商品を陳列ケースに対して頻繁に出し入れすることから商品の逸失等が生じやすい環境であるが、従来の在庫管理システムや販売管理システムは、このような頻繁な商品の移動をともなう環境には適用することができなかった。
【０００７】
本発明は、このような実情に鑑みてなされたものであり、複数の被管理物品の移動が頻繁に生じる環境においても、確実に全ての被管理物品の管理を行うことができる物品管理システムを提供することを目的とする。
【課題を解決するための手段】
【０００８】
上述した目的を達成する本発明にかかる物品管理システムは、被管理物品を管理する物品管理システムであって、複数の被管理物品を収納して陳列する陳列部材と、上記陳列部材に陳列されている複数の上記被管理物品のそれぞれに個別に付属し、各種データを読み出し及び／又は書き込み可能に記憶するとともに通信機能を有するトランスポンダとしての複数のＲＦＩＤタグと、所定の大きさからなる平板状の平面アンテナとして構成され且つ上記陳列部材に配設されており、複数の上記被管理物品に個別に付属している複数の上記ＲＦＩＤタグとの間で通信を行うＲＦＩＤリーダと、上記ＲＦＩＤリーダと通信可能なデータ収集装置とを備える。ここで、上記ＲＦＩＤタグには、少なくとも当該ＲＦＩＤタグに固有に割り当てられた識別データを含むデータが記憶されている。そして、上記ＲＦＩＤリーダは、複数の上記ＲＦＩＤタグに記憶されているデータを、所定時間間隔で一括して読み出し、読み出したデータを上記データ収集装置に対して送信する送信手段を有し、上記データ収集装置は、上記ＲＦＩＤリーダから上記所定時間間隔で受信したデータをその受信時刻毎に記録し、ログファイルを生成するデータ記録手段と、上記データ記録手段によって生成したデータファイルを出力する出力手段とを有することを特徴としている。
【０００９】
このような本発明にかかる物品管理システムは、複数のＲＦＩＤタグに記憶されているデータを、所定時間間隔でＲＦＩＤリーダによって非接触で一括して読み出し、これらデータをデータ収集装置によってログファイルとして記録することにより、手持ちのＲＦＩＤリーダを用いた操作を行うことなく陳列部材に陳列されている被管理物品の存否を常時監視する。
【発明の効果】
【００１０】
本発明においては、陳列部材に陳列されている被管理物品の存否を常時監視することができるため、複数の被管理物品の移動が頻繁に生じたとしても、確実に全ての被管理物品の管理を行うことができ、被管理物品の逸失等の事態にも迅速且つ的確な対応を図ることができる。
【発明を実施するための最良の形態】
【００１１】
以下、本発明を適用した具体的な実施の形態について図面を参照しながら詳細に説明する。
【００１２】
この実施の形態は、商品等の被管理物品を管理する物品管理システムである。この物品管理システムは、いわゆるＲＦＩＤ（Radio Frequency Identification）システムにて用いられるトランスポンダからなるタグを被管理物品毎に付属させ、複数の被管理物品を一括して常時管理するものである。
【００１３】
なお、以下では、説明の便宜上、陳列ケースに陳列された商品としての宝飾品を被管理物品とする場合について説明するものとする。
【００１４】
物品管理システムは、図１に示すように、商品としての宝飾品を収納して陳列する陳列ケース１１と、この陳列ケース１１に配設されたＲＦＩＤリーダ１２と、このＲＦＩＤリーダ１２と通信可能なデータ収集装置１３とを備える。
【００１５】
陳列ケース１１は、宝飾品を載置する載置台１１ａと、この載置台１１ａに載置された宝飾品を保護し且つ閲覧可能とするためのガラス板等からなる視認部材１１ｂとを有する。この陳列ケース１１は、店舗等に設置され、その店舗の従業員が接客する際に、宝飾品の試着等、顧客の要望に応じて宝飾品を出し入れするための用途に供される。なお、図１においては、１台の陳列ケース１１のみを示しているが、物品管理システムにおいては、複数台の陳列ケース１１が設置されていてもよい。
【００１６】
ＲＦＩＤリーダ１２は、所定の大きさからなる平板状の平面アンテナとして構成され、陳列ケース１１における載置台１１ａの載置面近傍に配設されている。最も一般的な配設形態としては、載置台１１ａの載置面にＲＦＩＤリーダ１２をそのまま載置し、その上を目隠し用の板等によって被覆すればよい。このようなＲＦＩＤリーダ１２は、電磁誘導の原理に基づいて、内蔵する所定のループアンテナから磁束を放出し、その磁束による誘導結合により、載置台１１ａに載置された各宝飾品に個別に付属しているＲＦＩＤタグ側のアンテナと磁気的結合し、当該ＲＦＩＤタグとの間で通信を行う。そして、ＲＦＩＤリーダ１２は、複数のＲＦＩＤタグに記憶されているデータを、非接触で一括して読み出す。このとき、ＲＦＩＤリーダ１２は、例えば数秒程度の所定時間間隔で、ＲＦＩＤタグに記憶されているデータを読み出すことにより、略常時データの読み出しを行う。なお、ＲＦＩＤタグに記憶されているデータは、後述するように、少なくとも当該ＲＦＩＤタグに固有に割り当てられた識別データを含むデータである。このようなＲＦＩＤリーダ１２によって読み出されたデータは、データ収集装置１３に対して送信される。なお、ＲＦＩＤリーダ１２は、陳列ケース１１の大きさに応じて、１台の陳列ケース１１あたり単数枚又は複数枚配設することができる。複数枚のＲＦＩＤリーダ１２を用いた場合には、各ＲＦＩＤリーダ１２に個別に割り当てられた識別データを、ＲＦＩＤタグから読み出したデータとともにデータ収集装置１３に対して送信することになる。また、ＲＦＩＤリーダ１２は、ＲＦＩＤタグに記憶すべきデータを当該ＲＦＩＤタグに書き込むライタとしての機能を併せ持っていてもよい。
【００１７】
データ収集装置１３は、例えばパーソナルコンピュータや専用のコントローラ等から構成され、ＲＦＩＤリーダ１２との間で通信可能に構成される。具体的には、データ収集装置１３は、図２に示すように、少なくとも、各部を統括的に制御する制御部２１と、ＲＦＩＤリーダ１２から送信されたデータを受信するＲＦＩＤ受信部２２と、このＲＦＩＤ受信部２２によって受信したデータをファイルとして記録する２つのデータ記録部２３，２４と、外部装置との間で通信を行う通信部２５とを有する。これら各部のうち、制御部２１及びデータ記録部２３，２４は、図示しないＣＰＵ（Central Processing Unit）等のプロセッサによって実行される物品管理プログラムによって実現される。
【００１８】
制御部２１は、ＲＦＩＤ受信部２２によるデータ受信処理、データ記録部２３，２４によるデータ記録処理、及び、通信部２５によるデータ送信処理を制御し、データ収集装置１３の全体を統括的に制御する。
【００１９】
ＲＦＩＤ受信部２２は、例えばＩＥＥＥ（Institute of Electrical and Electronic Engineers）８０２．１１に準拠した無線ＬＡＮ（Local Area Network）等の所定の無線通信方式やその他の通信方式を利用してＲＦＩＤリーダ１２から送信されてきたデータを受信する。ＲＦＩＤ受信部２２は、所定時間間隔でデータを受信すると、そのデータを全てデータ記録部２３に供給する。また、ＲＦＩＤ受信部２２は、ＲＦＩＤリーダ１２から受信したデータのうち、欠落した識別データがあった場合には、そのデータをデータ記録部２４に供給する。
【００２０】
データ記録部２３，２４は、ＲＦＩＤ受信部２２から供給されたデータをファイルとしてメモリ等に記録する。具体的には、データ記録部２３は、ＲＦＩＤリーダ１２から所定時間間隔で受信したデータをその受信時刻毎に記録し、１つのログファイルを生成する。なお、ある時刻においてＲＦＩＤリーダ１２から受信したデータは、当該ＲＦＩＤリーダ１２によって読み出した時刻において陳列ケース１１に陳列されている全ての宝飾品に対応するＲＦＩＤタグに関するデータを並べたものであることはいうまでもない。このとき、データ記録部２３は、全ての時刻のデータを時系列に記録するようにしてもよいが、ファイルサイズの削減を図るために、前時刻において受信したデータを次時刻において受信したデータによって上書きするのが望ましい。すなわち、データ記録部２３は、１時刻分のデータのみをファイルに記録するのが望ましい。一方、データ記録部２４は、ＲＦＩＤリーダ１２から受信したデータのうち、欠落したデータをその受信時刻毎に記録し、１つのログファイルを生成する。すなわち、ＲＦＩＤリーダ１２によって読み出されるデータは、基本的には、陳列ケース１１に陳列された全ての宝飾品に対応するＲＦＩＤタグに関するデータであり、データ収集装置１３は、かかる全てのデータを受信するが、接客中に任意の宝飾品を陳列ケース１１から取り出したり、逸失してしまったりした場合等、陳列ケース１１に陳列されているべき宝飾品が存在しない場合には、その宝飾品に対応するＲＦＩＤタグに関するデータを収集することができなくなる。データ記録部２４は、このようなデータをその受信時刻毎に記録する。このとき、データ記録部２４は、データ記録部２３のようにデータの上書きを行うのではなく、欠落したデータを時系列に記録する。なお、データ記録部２３，２４は、ともに、テキストファイルやＣＳＶ形式ファイル等、汎用フォーマットでデータを記録したファイルを生成するのが望ましい。これは、後述するように、データ収集装置１３側ではデータの収集のみを行い、在庫管理や販売管理等を行う所定の下位プログラムが実装された既存システム側で必要なデータ処理を行わせるために、データの互換性を持たせるためである。このようなデータ記録部２３，２４は、それぞれ、記録したファイルを通信部２５に供給する。
【００２１】
通信部２５は、いわゆるイーサネット（登録商標）等から構成される有線ＬＡＮや上述した無線ＬＡＮ等、任意の通信方式を利用して、データ記録部２３，２４から供給されたデータを、図示しない外部のサーバ装置等、データの送信先となる外部装置に対して送信する。
【００２２】
このような各部を有するデータ収集装置１３は、ＲＦＩＤリーダ１２から受信したデータをファイルとして記録し、外部装置に対して転送する。なお、データ収集装置１３は、１台の陳列ケース１１あたり複数枚のＲＦＩＤリーダ１２を用いた場合や、陳列ケース１１が複数台設置されている場合には、各ＲＦＩＤリーダ１２に個別に割り当てられた識別データに基づいて、どのＲＦＩＤリーダ１２によって読み出されたデータであるかを識別し、データをファイルとして記録する。
【００２３】
このような陳列ケース１１、ＲＦＩＤリーダ１２、及びデータ収集装置１３を備える物品管理システムにおいては、手持ちのＲＦＩＤリーダを用いた操作を行うことなく、陳列ケース１１に陳列されている複数の宝飾品に対応する複数のＲＦＩＤタグに記憶されているデータを、所定時間間隔でＲＦＩＤリーダ１２によって非接触で一括して読み出し、これらデータをデータ収集装置１３によってデータファイルとして記録する。すなわち、物品管理システムにおいては、複数の宝飾品のそれぞれに対してＲＦＩＤタグを付属させておく必要がある。ここで、かかる宝飾品に対するＲＦＩＤタグの付属方法について説明する。
【００２４】
ＲＦＩＤタグは、商品としての宝飾品の販売価格（上代）を表示する値札を収納する値札収納ケースに、値札とともに着脱可能に収納するのが現実的である。このような値札収納ケースの具体例について、図３乃至図１１を用いて説明する。
【００２５】
図３に分解斜視図を示すように、値札収納ケース５０は、第１のシート乃至第４のシートである４枚の樹脂シート５１，５２，５３，５４が積層されて構成される。これら樹脂シート５１，５２，５３，５４は、例えば、ビニル樹脂シート、ポリエチレンテレフタレートフィルム、又はパラフィン紙等の可撓性を有する光学的に透明な略矩形状の基材からなる。
【００２６】
ここで、これら樹脂シート５１，５２，５３，５４は、それぞれ、同じ形状及び大きさとされてもよいが、後述するように、当該値札収納ケース５０の可搬性を向上させるとともに値札やＲＦＩＤタグの着脱を容易とするために、それぞれ、異なる形状及び大きさに形成するのが望ましい。例えば、値札収納ケース５０の最前面を形成する樹脂シート５１は、略矩形状の主面における右端縁中央部に半円状の窪み５１ａが形成されて構成される。また、この樹脂シート５１は、主面における上端縁中央部に、宝飾品に付属させる際に用いる後述する紐体を挿通する孔５１ｃが穿設された半円状の突起５１ｂが形成されて構成される。さらに、樹脂シート５１の下層を形成する樹脂シート５２は、略矩形状の主面を有し、横方向の長さが樹脂シート５１と略同長に形成されて構成される。また、この樹脂シート５２も、主面における上端縁中央部に、宝飾品に付属させる際に用いる紐体を挿通する孔５２ｂが穿設された半円状の突起５２ａが形成されて構成される。さらにまた、樹脂シート５２の下層を形成する樹脂シート５３は、略矩形状の主面を有し、樹脂シート５１，５２よりも横方向の長さが若干長めに形成されて構成される。また、この樹脂シート５３も、主面における上端縁中央部に、宝飾品に付属させる際に用いる紐体を挿通する孔５３ｂが穿設された半円状の突起５３ａが形成されて構成される。また、樹脂シート５３の下層を形成する樹脂シート５４は、略矩形状の主面を有し、樹脂シート５１，５２，５３よりも縦方向の長さが若干短めに形成されて構成される。
【００２７】
値札収納ケース５０は、このような４枚の樹脂シート５１，５２，５３，５４における端縁を、例えば熱圧着や高周波溶着等の方法を用いて接着することにより、図４に正面図及び図５に背面図を示すように、例えば、横方向の長さが３５ｍｍ〜４０ｍｍ程度、縦方向の長さが２０ｍｍ〜２５ｍｍ程度、厚さが１ｍｍ未満程度からなる薄シート状の単一製品として製造される。より具体的には、値札収納ケース５０は、図４に示すように、樹脂シート５１の上端、左端及び下端と、樹脂シート５２とを接着することにより、当該樹脂シート５１，５２によって右端に開放口が形成されて構成される。また、値札収納ケース５０は、樹脂シート５２の上端、左端及び下端と、樹脂シート５３とを接着することにより、当該樹脂シート５２，５３によって右端に開放口が形成されて構成される。さらに、値札収納ケース５０は、図５に示すように、樹脂シート５３の左右端及び下端と、樹脂シート５４とを接着することにより、当該樹脂シート５３，５４によって上端に開放口が形成されて構成される。これにより、値札収納ケース５０は、図６に当該値札収納ケース５０を撓ませた状態における図４中Ａ−Ａ断面図を示すように、樹脂シート５１，５２の間に第１の収納部６１が形成され、樹脂シート５２，５３の間に第２の収納部６２が形成され、樹脂シート５３，５４の間に第３の収納部６３が形成された３層構造とされる。
【００２８】
このような値札収納ケース５０においては、図７に示すように、少なくとも宝飾品の販売価格を含む所定の物品情報を表示した値札７１が、右端に形成された第１の収納部６１における開放口から挿入されることにより、当該値札７１が着脱可能に収納される。また、値札収納ケース５０においては、ＲＦＩＤタグ７２が、右端に形成された第２の収納部６２における開放口から挿入されることにより、当該ＲＦＩＤタグ７２が着脱可能に収納される。さらに、値札収納ケース５０においては、所定の物品情報を表示した他の値札７３が、上端に形成された第３の収納部６３における開放口から挿入されることにより、当該値札７３が着脱可能に収納される。
【００２９】
このようにして、値札収納ケース５０は、使用時には、図８に断面図を示すように、値札７１が樹脂シート５１，５２によって挟持され、ＲＦＩＤタグ７２が樹脂シート５２，５３によって挟持され、さらに、値札７３が樹脂シート５３，５４によって挟持されるように、これら値札７１，７３及びＲＦＩＤタグ７２を収納する。このとき、値札収納ケース５０は、図９に正面図を示すように、値札７１に表示された物品情報を、当該値札収納ケース５０の最前面を形成する樹脂シート５１を介して視認可能とするとともに、図１０に背面図を示すように、値札７３に表示された物品情報を、当該値札収納ケース５０の最背面を形成する樹脂シート５４を介して視認可能とするように、値札７１，７３を収納する。また、値札収納ケース５０は、ＲＦＩＤタグ７２については、２枚の値札７１，７３によって視認不可能とするように収納する。
【００３０】
なお、値札７１，７３は、所定の用紙等に物品情報を印字したものを用いることができる。これら値札７１，７３に表示する物品情報としては、例えば図７に示したように、当該値札収納ケース５０を宝飾品に付属させる場合には、販売価格の他、商品としての宝飾品に固有に付された商品コード、指輪やネックレスといった宝飾品の種類、宝飾品に使用している地金の種類、宝飾品に使用している宝石の種類（石目）、宝飾品のデザインを示すデザイン番号、販売する際に用いる商品名、暗号化した英数字からなる符牒、及び／又は製造業者名、さらには必要に応じて、宝飾品に使用している宝石の重さや当該物品情報を示すバーコード等の情報を挙げることができる。これら物品情報は、具体的な文字情報として印字されてもよいが、この文字情報を表す記号として印字されてもよい。なお、これら値札７１，７３に表示する物品情報は、同一のものであってもよく、異なるものであってもよい。また、ＲＦＩＤタグ７２としては、所定の薄型基材上に、所定の導体パターンからなるアンテナコイルやＩＣ（Integrated Circuit）チップがプリントされたものを用いることができる。このＲＦＩＤタグ７２には、物品情報に対応した情報を記憶させてもよいが、不正な第三者による情報の読み出しを回避する等、セキュリティの観点から、当該ＲＦＩＤタグ７２の製造時に固有に割り当てられた製造コード等の識別データのみを記憶させるのが望ましい。
【００３１】
このような値札収納ケース５０は、例えば図１１に示すように、突起５１ｂ，５２ａ，５３ａに穿設された孔５１ｃ，５２ｂ，５３ｂに挿通された紐体８１を介して宝飾品８０に付属され、取引に供される。ここで、値札収納ケース５０においては、４枚の樹脂シート５１，５２，５３，５４によって形成される第１の収納部６１、第２の収納部６２、及び第３の収納部６３の間隔が非常に狭く密着していることから、収納した値札７１，７３及びＲＦＩＤタグ７２を確実に挟持し、これら値札７１，７３及びＲＦＩＤタグ７２が脱落してしまうことがない。また、値札収納ケース５０においては、４枚の樹脂シート５１，５２，５３，５４の摩擦による静電気の影響により、収納した値札７１，７３及びＲＦＩＤタグ７２をより確実に挟持することができる。
【００３２】
そして、値札収納ケース５０は、宝飾品８０の売買等を行って不要となった場合には、当該宝飾品８０から取り外して回収し、第１の収納部６１及び第３の収納部６３に収納されている値札７１，７３を脱抜するとともに、必要に応じてＲＦＩＤタグ７２を脱抜することにより、他の宝飾品に付属させるためにそのまま再利用することができる。すなわち、値札収納ケース５０は、樹脂シート５１，５２，５３，５４の剥離等、何ら煩雑な作業を要することなく再利用することができ、ＲＦＩＤタグ７２に損傷を与えることもない。
【００３３】
また、値札収納ケース５０は、孔５１ｃ，５２ｂ，５３ｂに挿通された紐体８１を介して宝飾品８０に付属されることから、貼付することができない宝飾品にも付属させることができる。さらに、値札収納ケース５０は、値札７１，７３の印字面やＲＦＩＤタグ７２が外部に剥き出しになることはないことから、汚れや外傷に対する耐性を大幅に高めることができる。
【００３４】
物品管理システムにおいては、このような値札収納ケース５０を利用してＲＦＩＤタグ７２を個々の宝飾品８０に付属させ、複数のＲＦＩＤタグ７２に記憶されているデータに基づいて物品管理を行う。
【００３５】
すなわち、物品管理システムにおいては、複数のＲＦＩＤタグ７２に記憶されている当該ＲＦＩＤタグ７２に固有の識別データと、当該ＲＦＩＤタグ７２が付属している宝飾品８０に関するデータとを、外部のデータベースによって対応付けしておく。このようなデータベースの構築は、既存システムを任意に利用すればよい。すなわち、物品管理システムにおいては、在庫管理や販売管理等を行う所定の下位プログラムが実装された既存システムを何ら変更することなく利用するために、データ収集装置１３側ではデータの収集のみを行い、収集したデータに対して既存システム側で必要なデータ処理を行うようにする。そのため、物品管理システムにおいては、外部装置としてのサーバ装置やデータベース等の既存システムとデータ収集装置１３との間でデータの授受を行うためのインターフェースの構築と、外部装置が受信したデータを下位プログラムに受け渡すための内部的なインターフェースとを準備しておく。また、データベースとしては、上述したように、販売価格、商品コード、宝飾品の種類、地金の種類、宝石の種類（石目）、デザイン番号、商品名、符牒、及び／又は製造業者名、さらには必要に応じて、宝石の重さやバーコード等の物品情報と、ＲＦＩＤタグ７２の識別コードとを対応付けて予め構築しておけばよい。なお、ここに記載した物品情報は、例示であって、管理する物品毎に応じて異なるものであることはいうまでもない。
【００３６】
このような準備を行った上で、物品管理システムにおいては、複数のＲＦＩＤタグ７２に記憶されているデータを、所定時間間隔でＲＦＩＤリーダ１２によって非接触で一括して読み出し、これらデータをデータ収集装置１３によってデータファイルとして記録し、生成したデータファイルを外部装置に対して送信する。
【００３７】
そして、外部装置は、受信したデータに基づいて、陳列ケース１１に陳列されているＲＦＩＤタグ７２の個数、すなわち、宝飾品８０の個数を把握するとともに、陳列されているべき宝飾品８０に対応するＲＦＩＤタグ７２の関するデータが欠落している場合には、どのＲＦＩＤタグ７２に関するデータが欠落しているか否かを判定する。そして、外部装置は、データベースを参照することにより、データが欠落したＲＦＩＤタグ７２の識別コードに対応する物品情報を検索する。これにより、外部装置は、どの宝飾品８０が陳列ケース１１に陳列されていないのかを把握することができる。このような判定結果の利用方法は、既存システムと同様とする等、任意であってよく、例えば、下位プログラムの処理により、外部装置としてのサーバ装置から、陳列ケース１１が設置されている店舗の店舗端末機に対して、陳列ケース１１に陳列されていない宝飾品８０に関する情報を送信し、その旨を報知するようにすることが考えられる。また、物品管理システムにおいては、このような判定結果を用いることにより、下位プログラムの処理により、売り上げ金額の集計や、商品の棚卸し状況の管理等を自動的に行うこともできる。このように、物品管理システムにおいては、下位プログラムによって実現可能な処理として、様々なアプリケーションに適用することができる。
【００３８】
以上説明したように、本発明の実施の形態として示す物品管理システムにおいては、複数のＲＦＩＤタグ７２に記憶されているデータを、所定時間間隔でＲＦＩＤリーダ１２によって非接触で一括して読み出し、これらデータをデータ収集装置１３によってデータファイルとして記録することにより、手持ちのＲＦＩＤリーダを用いた操作を行うことなく陳列ケース１１に陳列されている宝飾品８０の存否を常時監視することができる。したがって、この物品管理システムにおいては、複数の宝飾品８０の移動が頻繁に生じたとしても、確実に全ての宝飾品８０の管理を行うことができ、宝飾品８０の逸失や盗難等の事態にも迅速且つ的確な対応を図ることができる。
【００３９】
また、この物品管理システムにおいては、欠落したＲＦＩＤタグ７２に関するデータを収集して解析することにより、売り上げ金額の集計や、商品の棚卸し状況の管理等を行うこともできる。さらに、この物品管理システムにおいては、欠落したＲＦＩＤタグ７２に関するデータのみならず、全てのＲＦＩＤタグ７２に関するデータも収集することから、かかるデータを解析することにより、販売中における陳列ケース１１に対する宝飾品８０の出し入れ状況を把握することもでき、これにより、いわゆる売れ筋商品や死に筋商品等を検証することができ、マーケティングの効率化にも寄与することができる。
【００４０】
なお、本発明は、上述した実施の形態に限定されるものではない。
【００４１】
例えば、上述した実施の形態では、陳列ケースに陳列されている宝飾品を被管理物品とした場合について説明したが、本発明は、洋品店において複数の衣服を吊るすポールハンガー等に、平板状の平面アンテナとして構成されるＲＦＩＤリーダもあわせて吊るしたり、書店において本棚にＲＦＩＤリーダを配設したりする等、任意の物品を任意の陳列領域に陳列する場合に適用することができる。
【００４２】
また、上述した実施の形態では、データ収集装置側でデータの収集のみを行い、収集したデータに対して既存システム側で必要なデータ処理を行うようにするものとして説明したが、本発明は、データ収集装置に必要なデータ処理を行う機能を備え、外部装置を介さずにデータ処理装置単独で処理するようにしてもよい。すなわち、本発明は、既存システムを利用せずに新たにシステムを構築する場合であっても容易に適用することができる。
【００４３】
このように、本発明は、その趣旨を逸脱しない範囲で適宜変更が可能であることはいうまでもない。
【図面の簡単な説明】
【００４４】
【図１】本発明の実施の形態として示す物品管理システムの構成を説明する図である。
【図２】本発明の実施の形態として示す物品管理システムにおけるデータ処理装置の構成を説明するブロック図である。
【図３】本発明の実施の形態として示す物品管理システムにおいて用いられる値札収納ケースの構成を説明する分解斜視図である。
【図４】値札収納ケースの構成を説明する正面図である。
【図５】値札収納ケースの構成を説明する背面図である。
【図６】図４中Ａ−Ａ断面図であり、値札収納ケースを撓ませた状態を示す図である。
【図７】値札収納ケースに値札及びＲＦＩＤタグを収納する様子を説明する図である。
【図８】値札及びＲＦＩＤタグが収納された状態における値札収納ケースの断面図である。
【図９】値札及びＲＦＩＤタグが収納された状態における値札収納ケースの正面図である。
【図１０】値札及びＲＦＩＤタグが収納された状態における同値札収納ケースの背面図である。
【図１１】値札収納ケースを宝飾品に付属した様子を説明する図である。
【符号の説明】
【００４５】
１１  陳列ケース
１１ａ  載置台
１１ｂ  視認部材
１２  ＲＦＩＤリーダ
１３  データ収集装置
２１  制御部
２２  ＲＦＩＤ受信部
２３，２４  データ記録部
２５  通信部
５０  値札収納ケース
５１，５２，５３，５４  樹脂シート
５１ａ  窪み
５１ｂ，５２ａ，５３ａ  突起
５１ｃ，５２ｂ，５３ｂ  孔
６１  第１の収納部
６２  第２の収納部
６３  第３の収納部
７１，７３  値札
７２  ＲＦＩＤタグ
８０  宝飾品
８１  紐体
【図１】
2009175894.tif 000003
【図２】
2009175894.tif 000004
【図３】
2009175894.tif 000005
【図４】
2009175894.tif 000006
【図５】
2009175894.tif 000007
【図６】
2009175894.tif 000008
【図７】
2009175894.tif 000009
【図８】
2009175894.tif 000010
【図９】
2009175894.tif 000011
【図１０】
2009175894.tif 000012
【図１１】
2009175894.tif 000013